(57)【要約】  １／１０インチサイズや１／１２インチサイズの固体撮像素子に対応しつつ、バックフォーカスが確保され、かつリフロー処理に対応した撮像レンズ及びこれを用いた撮像装置並びに携帯端末を開示する。  固体撮像素子の光電変換部に被写体像を結像させるための撮像レンズであって、物体側から順に、開口絞りと、単レンズとを有し、以下の条件式を満足することを特徴とする撮像レンズ。  ０．７０ｍｍ＜ｆ＜１．６０ｍｍ  （１）  ０．７０＜（ｒ１＋ｒ２）／（ｒ１−ｒ２）＜１．６０  （２）ただし、ｆ：前記撮像レンズの焦点距離（ｍｍ）ｒ１：前記単レンズの物体側面の近軸曲率半径（ｍｍ）ｒ２：前記単レンズの像側面の近軸曲率半径（ｍｍ）
2011125999.tif 000002
【特許請求の範囲】
【請求項１】
固体撮像素子の光電変換部に被写体像を結像させるための撮像レンズであって、
物体側から順に、開口絞りと、単レンズとを有し、以下の条件式を満足することを特徴とする撮像レンズ。
０．７０ｍｍ＜ｆ＜１．６０ｍｍ      （１）
０．７０＜（ｒ１＋ｒ２）／（ｒ１−ｒ２）＜１．６０                  （２）
ただし、
ｆ：前記撮像レンズの焦点距離（ｍｍ）
ｒ１：前記単レンズの物体側面の近軸曲率半径（ｍｍ）
ｒ２：前記単レンズの像側面の近軸曲率半径（ｍｍ）
【請求項２】
以下の条件を満足することを特徴とする請求項１に記載の撮像レンズ。
−１５°＜θ１＜１０°      （３）
ただし、
θ１：前記単レンズの物体側面における有効半径位置での面傾斜角（°）
（ただし、面傾斜角は光軸を含む平面において前記単レンズの物体側面の接線と光軸に対して垂直な直線とが成す角度であり、光軸位置での面傾斜角は０°とし、物体側に凸である時に正とする）
【請求項３】
前記単レンズは、耐熱性を有する素材から形成されていることを特徴とする請求項１または２に記載の撮像レンズ。
【請求項４】
前記単レンズは、エネルギー硬化性樹脂から形成されていることを特徴とする請求項１乃至３のいずれか１項に記載の撮像レンズ。
【請求項５】
前記単レンズの光軸上の厚さが１ｍｍ以下であることを特徴とする請求項４に記載の撮像レンズ。
【請求項６】
前記単レンズの像側に平行平板素子を備え、以下の条件式を満足することを特徴とする請求項１乃至５のいずれか１項に記載の撮像レンズ。
０．２５＜ｄｃ／ｆ＜０．５０      （４）
ただし、
ｄｃ：前記平行平板素子の厚さ（ただし、前記平行平板素子が複数枚ある場合はその総和とする）（ｍｍ）
【請求項７】
前記樹脂材料に３０ナノメートル以下の無機微粒子を分散させたことを特徴とする請求項１乃至６のいずれか１項に記載の撮像レンズ。
【請求項８】
請求項１乃至７のいずれか１項に記載の撮像レンズを用いたことを特徴とする撮像装置。
【請求項９】
請求項８に記載の撮像装置を備えることを特徴とする携帯端末。
【発明の詳細な説明】
【技術分野】
【０００１】
本発明は、CCD型イメージセンサあるいはCMOS型イメージセンサ等の固体撮像素子及び小型で薄型の撮像レンズを用いた撮像装置、及びこれを備える携帯端末に関する。
【背景技術】
【０００２】
近年、CCD(Charged Coupled Device)型イメージセンサあるいはCMOS(Complementary Metal Oxide Semiconductor)型イメージセンサ等の固体撮像素子を用いた撮像装置を備えた携帯電話や携帯情報端末が普及しつつある。近年、これらの撮像装置に使用される固体撮像素子のさらなる小型化が進み、VGAのイメージフォーマット（有効画素数６４０×４８０）のセンサでは、１／１０インチサイズ（画素ピッチ２．２μm）や１／１２インチサイズ（画素ピッチ１．７５μm）の固体撮像素子が製品化されている。それに伴い、撮像装置に搭載される撮像レンズにも、さらなる小型化への要求が高まっている。【０００３】
このような用途の撮像レンズとしては、低コストであり、小型化が可能であることから、１枚構成の撮像レンズが提案されている。【０００４】
また、これら撮像素子上に被写体像を形成するためのレンズは、更なる低コスト化のために、大量生産に適した樹脂で形成されるレンズが用いられるようになってきた。また、樹脂によって構成されるレンズは加工性もよく非球面形状をとることで高性能化の要求にも応えてきた。このような撮像レンズとして、両凸単レンズを用いた撮像レンズが特許文献１、２により提案されている。
【先行技術文献】
【特許文献】
【０００５】
【特許文献１】特開２００７−１７１７８５号公報
【特許文献２】特開２００７−１０７５０号公報
【発明の概要】
【発明が解決しようとする課題】
【０００６】
１／１０インチサイズや１／１２インチサイズといった小型の固体撮像素子を用いた撮像装置は、撮像装置に搭載される撮像レンズも小型化されるので、従来の撮像装置に比べ、レンズを通る光束が細くなっており、ホコリ等のゴミが撮像レンズに付着した場合、光学性能に与える影響が大きくなるという問題がある。この問題を低減するにはレンズを通る光束を太くするとよく、同じＦナンバーを用いるという条件においては、バックフォーカスを長くすれば良い。それに対し、特許文献１、２で提案されているレンズは、物体側面の屈折力が強い両凸レンズであるため、十分なバックフォーカスが確保できていないという問題がある。【０００７】
本発明は、このような問題点に鑑みてなされたものであり、１／１０インチサイズや１／１２インチサイズの固体撮像素子に対応しつつ、バックフォーカスが確保され、かつリフロー処理に対応した撮像レンズ及びこれを用いた撮像装置並びに携帯端末を提供することを目的とする。
【課題を解決するための手段】
【０００８】
請求項１の撮像レンズは、固体撮像素子の光電変換部に被写体像を結像させるための撮像レンズであって、
物体側から順に、開口絞りと、単レンズとを有し、以下の条件式を満足することを特徴とする。
０．７０ｍｍ＜ｆ＜１．６０ｍｍ      （１）
０．７０＜（ｒ１＋ｒ２）／（ｒ１−ｒ２）＜１．６０                  （２）
ただし、
ｆ：前記撮像レンズの焦点距離（ｍｍ）
ｒ１：前記単レンズの物体側面の近軸曲率半径（ｍｍ）
ｒ２：前記単レンズの像側面の近軸曲率半径（ｍｍ）【０００９】
小型で収差の良好に補正された撮像レンズを得るための、本発明の基本構成は、物体側から順に、開口絞り、単レンズからなる。単レンズを用いることにより、低コストと小型化を両立できる。加えて、最も物体側に開口絞りを配置することにより、射出瞳位置を撮像面からより遠くに配置することができ、固体撮像素子の撮像面周辺部に結像する光束の主光線入射角度（主光線と光軸のなす角度）を小さく抑えることができ、所謂テレセントリック特性を確保することができる。また、機械的なシャッタを必要とする場合においても、最も物体側に配置する構成とでき全長の短い撮像レンズを得ることが可能となる。【００１０】
条件式（１）は、撮像レンズ全系の焦点距離を規定している。固体撮像素子の小型化に伴い、１／１０インチや１／１２インチサイズの固体撮像素子が製品化されており、将来的には１／１５インチサイズの固体撮像素子が開発されることが考えられる。また、近年では多くの携帯電話メーカーで、固体撮像素子の水平方向の画角が約５０〜６０度の撮像レンズが要求されている。それに対し、条件式（１）の下限値を上回ることによって、１／１５インチサイズの固体撮像素子を用いた水平画角６０度の撮像レンズに対応することができる。一方、条件式（１）の上限値を下回ることによって、１／１０インチサイズの固体撮像素子を用いた水平画角５０度の撮像レンズに対応することができる。【００１１】
条件式（２）は、単レンズのシェーピングファクターを規定している。条件式（２）の下限値を上回ることにより、単レンズの主点位置が像側に移動するので、バックフォーカスを確保することができる。一方、条件式（２）の上限値を下回ることによって、全長の増大を抑えることができる。好ましくは、以下の式を満たすことである。
１．００≦（ｒ１＋ｒ２）／（ｒ１−ｒ２）＜１．６０                  （２’）【００１２】
請求項２に記載の撮像レンズは、請求項１に記載の発明において、以下の条件を満足することを特徴とする。
−１５°＜θ１＜１０°      （３）
ただし、
θ１：前記単レンズの物体側面における有効半径位置での面傾斜角（°）【００１３】
ここで、面傾斜角とは、レンズの物体側面Ｓ１を示す図１を参照して、光軸Ｘを含む平面においてレンズの物体側面Ｓ１の有効半径位置（ここではＰとする）の接線と、光軸Ｘに対して垂直な直線とが成す角度θ１であり、光軸位置での面傾斜角は０°とし、物体側面Ｓ１が物体側に凸である時に正とする。即ち、図１の例では負である。【００１４】
条件式（３）は、単レンズの物体側面の傾斜角を規定している。条件式（１）を満たすことにより、単レンズのサイズは小さくなるので、製造誤差による光学性能への影響が大きくなる。特に物体側面を通る光束は像側に比べ太くなるので、物体側面の製造誤差の影響は像側面に比べより大きくなる。それに対し、条件式（３）の下限値を上回ることにより、単レンズの物体側面は緩い凹面になるので、製造誤差による性能低下を抑え、物体側面と像側面の相対偏芯が１０μｍ発生した際においても、十分な光学性能を得ることができる。一方、条件式（３）の上限値を下回ることにより、物体側の開口絞りに対し、コンセントリックにすることができるので、収差発生を低減することができる。尚、以下の条件式を満たすことがより望ましい。
−１５°＜θ１＜０°      （３’）【００１５】
請求項３に記載の撮像レンズは、請求項１又は２に記載の発明において、前記単レンズは、耐熱性を有する素材から形成されていることを特徴とする。【００１６】
ここで、耐熱性を有する素材とは、リフロー槽の内部温度である２６０℃以上で変形しない素材が好ましい。撮像レンズを、耐熱性を有する素材で構成することにより、リフロー処理に耐えることができ、電子部品と、撮像レンズを含むレンズモジュールとを基板に同時実装することができ、低コストかつ大量に基板に実装することができる。【００１７】
請求項４に記載の撮像レンズは、請求項１〜３のいずれかに記載の発明において、前記単レンズは、エネルギー硬化性樹脂から形成されていることを特徴とする。【００１８】
撮像レンズの材料にエネルギー硬化性樹脂を使用することで、ポリカーボネイト系やポリオレフィン系のような熱可塑性樹脂を用いたレンズに比べ、高温に曝されたときの光学性能の低下が小さいため、リフロー処理に有効であり、かつガラスモールドレンズよりも製造しやすく安価となり、撮像レンズを組み込んだ撮像装置の低コストと量産性を両立できる。なお、エネルギー硬化性樹脂とは、熱硬化性樹脂および紫外線硬化性樹脂のいずれをも指すものとする。【００１９】
請求項５に記載の撮像レンズは、請求項４に記載の発明において、前記単レンズの光軸上の厚さが１ｍｍ以下であることを特徴とする。【００２０】
エネルギー硬化性樹脂を用いた撮像レンズは、高湿環境に曝された際に生じる吸水による屈折率変動が熱可塑性樹脂よりも一般に大きく、そのため吸水の途中過程においてレンズの中心部と表面部における吸水量の違いにより屈折率差が発生し、光学性能が変化するので、熱可塑性樹脂を用いたレンズよりも吸水による影響は大きくなる傾向がある。それに対し、本発明の単レンズの厚さを1mm以下にすれば、単レンズの中心部と表面部における吸水量の違いが小さくなるので、エネルギー硬化性樹脂を用いた単レンズを用いても、吸水による光学性能の変動を抑えることができる。さらに、単レンズの光軸上の厚さが０．２mm以上０．８mm以下を満たすと、単レンズの加工性の難易度と光学性能を両立することができるので、より望ましい結果となる。【００２１】
請求項６に記載の撮像レンズは、請求項１〜５のいずれかに記載の発明において、前記単レンズの像側に平行平板素子を備え、以下の条件式を満足することを特徴とする。
０．２５＜ｄｃ／ｆ＜０．５０      （４）
ただし、
ｄｃ：前記平行平板素子の厚さ（ただし、前記平行平板素子が複数枚ある場合はその総和とする）（ｍｍ）【００２２】
条件式（４）は、平行平板素子の厚さと撮像レンズの焦点距離の比を規定している。本発明における撮像レンズは単レンズであるため、負の屈折力を持つレンズが無いことから、ペッツバール和の補正不足による像面湾曲の発生を考慮しなくてはならない場合もある。そこで、単レンズの像側に平行平板素子を配置し、条件式（４）の下限値を上回るようにすることによって、非点収差の増大を抑えつつ像面湾曲を補正することが出来る。【００２３】
また、リフロー耐性を有する固体撮像素子は、CSP（Chip Scale package）タイプが用いられることが多い。CSPタイプとは、センサ片面を平行平板素子に密着させ、内部の貫通電極と接続された固体撮像素子裏面のBall Bump（半田付け部）により、前記基板との信号送受が行われる固体撮像素子である（特開２００７−５１２４３６号公報参照）。ここで、条件式（４）の下限値を上回ることによって、このCSPタイプの固体撮像素子を用いた場合、センサに密着する平行平板素子が固体撮像素子の機械的強度を維持するための支持体として、必要な強度を確保できることから、コネクタを使用せず直接基板に実装できることにより、実装面積を小さくすることが可能となる。一方、条件式（４）の上限値を下回ることによって、平行平板素子を挿入するためのバックフォーカスの増大を抑えることができるので、撮像レンズの全長を抑えることができる。【００２４】
請求項７に記載の撮像レンズは、請求項１〜６のいずれかに記載の発明において、前記樹脂材料に３０ナノメートル以下の無機微粒子を分散させたことを特徴とする。【００２５】
エネルギー効果型樹脂材料にて構成される単レンズに、３０ナノメートル以下の無機微粒子を分散させることで、温度が変化しても性能の劣化や、像点位置変動を低減でき、しかも光透過率を低下させることなく、環境変化に関わらず優れた光学特性を有する撮像レンズを提供できる。【００２６】
一般に透明な樹脂材料に微粒子を混合させると、光の散乱が生じ透過率が低下するため、光学材料として使用することは困難であったが、微粒子の大きさを透過光束の波長より小さくすることにより、散乱が実質的に発生しないようにできる。【００２７】
また、樹脂材料はガラス材料に比べて屈折率が低いことが欠点であったが、屈折率の高い無機粒子を母材となる樹脂材料に分散させると、屈折率を高くできることがわかってきた。具体的には、母材となるプラスチック材料に３０ナノメートル以下、なお、望ましくは、母材となる樹脂材料に２０ナノメートル以下、さらに望ましくは１５ナノメートル以下の無機粒子を分散させることにより、任意の温度依存性を有する材料を提供できる。【００２８】
さらに、樹脂材料は温度が上昇することにより屈折率が低下してしまうが、温度が上昇すると屈折率が上昇する無機粒子を母材となる樹脂材料に分散させると、これらの性質を打ち消しあうように作用するので、温度変化に対する屈折率変化を小さくできることも知られている。また、逆に、温度が上昇すると屈折率が低下する無機粒子を母材となる樹脂材料に分散させると、温度変化に対する屈折率変化を大きくできることも知られている。具体的には、母材となるプラスチック材料に３０ナノメートル以下、なお、望ましくは、母材となる樹脂材料に２０ナノメートル以下、さらに望ましくは１５ナノメートル以下の無機粒子を分散させることにより、任意の温度依存性を有する材料を提供できる。【００２９】
例えば、アクリル系樹脂に酸化アルミニウム（Ａｌ2Ｏ3）やニオブ酸リチウム（ＬｉＮｂＯ3）の微粒子を分散させることにより、高い屈折率のプラスチック材料が得られるとともに、温度に対する屈折率変化を小さくすることができる。【００３０】
次に、屈折率の温度変化Ａについて詳細に説明する。屈折率の温度変化Ａは、ローレンツ・ローレンツの式に基づいて、屈折率ｎを温度ｔで微分することにより、以下の数１式で表される。【００３１】
【数１】
2011125999.tif 000003
但し、αは線膨張係数、［Ｒ］は分子屈折。【００３２】
樹脂材料の場合は、一般に式中第１項に比べ第２項の寄与が小さく、ほぼ無視できる。  【００３３】
ここで、微粒子、望ましくは無機微粒子を樹脂材料中に分散させることにより、実質的に上記式の第２項の寄与を大きくし、第１項の線膨張による変化と打ち消しあうようにさせている。具体的には、屈折率の温度変化は絶対値で８×１０-5［／℃］未満に抑えることが望ましい。【００３４】
また、第２項の寄与をさらに大きくして、母材の樹脂材料とは逆の温度特性を持たせることも可能である。つまり、温度が上昇することによって屈折率が低下するのではなく、逆に、屈折率が上昇するような素材を得ることもできる。【００３５】
混合させる割合は、屈折率の温度に対する変化の割合をコントロールするために、適宜増減できるし、複数種類のナノサイズの無機粒子をブレンドして分散させることも可能である。【００３６】
請求項８に記載の撮像装置は、請求項１〜７のいずれか１項に記載の撮像レンズを用いたことを特徴とする。本発明の撮像レンズを用いることで、より小型かつ高性能な撮像装置を得ることができる。【００３７】
請求項９に記載の携帯端末は、請求項８に記載の撮像装置を備えることを特徴とする。本発明の撮像装置を用いることで、より小型かつ高性能な携帯端末を得ることができる。
【発明の効果】
【００３８】
本発明によれば、１／１０インチサイズや１／１２インチサイズの固体撮像素子に対応しつつ、バックフォーカスが確保され、かつリフロー処理に対応した撮像レンズ及びこれを用いた撮像装置並びに携帯端末を提供する事ができる。
【図面の簡単な説明】
【００３９】
【図１】近軸曲率半径と面傾斜角を説明するための図であり、光学面Ｓ１の光軸を通る断面を示す。
【図２】撮像装置の断面図である。
【図３】携帯電話機の外観図であり、折り畳んだ携帯電話機を開いて内側から見た図（ａ）、および、折り畳んだ携帯電話機を開いて外側から見た図（ｂ）である。
【図４】実施例１の撮像レンズの断面図である。
【図５】実施例１の球面収差図（ａ）、非点収差図（ｂ）、および、歪曲収差図（ｃ）である。
【図６】実施例２の撮像レンズの断面図である。
【図７】実施例２の球面収差図（ａ）、非点収差図（ｂ）、および、歪曲収差図（ｃ）である。
【図８】実施例３の撮像レンズの断面図である。
【図９】実施例３の球面収差図（ａ）、非点収差図（ｂ）、および、歪曲収差図（ｃ）である。
【図１０】実施例４の撮像レンズの断面図である。
【図１１】実施例４の球面収差図（ａ）、非点収差図（ｂ）、および、歪曲収差図（ｃ）である。
【図１２】実施例５の撮像レンズの断面図である。
【図１３】実施例５の球面収差図（ａ）、非点収差図（ｂ）、および、歪曲収差図（ｃ）である。
【図１４】実施例６の撮像レンズの断面図である。
【図１５】実施例６の球面収差図（ａ）、非点収差図（ｂ）、および、歪曲収差図（ｃ）である。
【発明を実施するための形態】
【００４０】
本発明の撮像レンズ及び該撮像レンズを用いた撮像装置について図２を参照して説明する。本撮像レンズは、物体側から順に、開口絞りＳ、物体側面Ｓ１が凹（又は緩やかな凸）で像側面Ｓ２が凸である正の単レンズＬ１，光学的ローパスフィルタやＩＲカットフィルタ若しくは固体撮像素子のシールガラスから成る平行平板素子Ｆと、を有する。単レンズＬ１は、レンズ枠１１に対して、遮光部材ＳＨにより取り付けられている。単レンズＬ１は、３０ナノメートル以下の無機微粒子を分散させたエネルギー硬化性樹脂から形成されると好ましい。
【００４１】
また、単レンズＬ１を介して被写体像を結像する撮像面（光電変換部）を有する撮像素子Ｃは、例えばＣＳＰタイプであり、またセンササイズが１／１０インチサイズ（画素ピッチ２．２μｍ）以下であり、その撮像面は平行平板素子Ｆに密着しており、その背面がプリント配線板１２に実装されており、プリント配線板１２はレンズ枠１１に固着されている。以上の如く撮像装置は構成される。
【００４２】
次に、撮像装置を備えた携帯端末の一例として携帯電話機を図３の外観図に基づいて説明する。なお、図３（ａ）は折り畳んだ携帯電話機を開いて内側から見た図であり、図３（ｂ）は折り畳んだ携帯電話機を開いて外側から見た図である。
【００４３】
図３において、携帯電話機Ｔは、表示画面Ｄ１，Ｄ２を備えたケースとしての上筐体７１と、操作ボタンＢを備えた下筐体７２とがヒンジ７３を介して連結されている。カメラモジュールは、上筐体７１内の表示画面Ｄ２の下方に内蔵されていて、上筐体７１の外表面に撮像レンズの単レンズＬ１が露出している。
【００４４】
なお、この撮像装置を上筐体７１内の表示画面Ｄ２の上方や側面に配置してもよい。また、携帯電話機Ｔは折り畳み式に限定されるものではない。
【００４５】
［実施例］
以下に本発明の撮像レンズの実施例を示す。各実施例に使用する記号は下記の通りである。
ｆ  ：撮像レンズ全系の焦点距離
ｆＢ：バックフォーカス
Ｆ  ：Ｆナンバー
２Ｙ：固体撮像素子の撮像面対角線長
Ｒ  ：曲率半径
Ｄ  ：軸上面間隔
Ｎｄ：レンズ材料のｄ線に対する屈折率
νｄ：レンズ材料のアッベ数
ｗ  ：半画角
ＴＬ：撮像レンズ全系の最も物体側のレンズ面から撮像面までの光軸上の距離
【００４６】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の数２式で表す。
【００４７】
【数２】
2011125999.tif 000004
ただし、
Ａｉ：ｉ次の非球面係数
Ｒ  ：近軸曲率半径
Ｋ  ：円錐定数
また、非球面係数において、１０のべき乗数（例えば２．５×１０-02）を、ｅ（例えば２．５ｅ−００２）を用いて表している。
【００４８】
なお、請求項ならびに実施例に記載の近軸曲率半径の意味合いについて説明する。実際のレンズ測定においては、以下の数３式で与えられる近軸領域での面Ｓ１における局所曲率半径を近軸曲率半径であるとみなすことができる。
【００４９】
［数３］
ｒ＝｛（ｈ）2＋（ｓ）2｝／（２ｓ）
ただし、図１を参照して、各符号を以下のように定義とする。
ｒ：局所曲率半径
ｈ：有効半径の１／１０
ｓ：高さｈ１における面頂点から光軸に下ろした垂線の足と面の頂点との間隔
【００５０】
また、実際のレンズの局所曲率半径を求める際には測定されたサグ量から同様の式を用いて求めることができる。測定には、超高精度三次元測定機UA3P（パナソニック株式会社製）などによる接触式の方法を用いてもよいし、非接触式の方法を用いても良い。
【００５１】
尚、実施例の断面図において、平行平板素子Ｆと撮像面Ｉとは離れているが、密着していても良い。
【００５２】
（実施例１）
実施例１のレンズデータを表１に示す。図４は実施例１の撮像レンズの断面図である。図５は実施例１の球面収差図（ａ）、非点収差図（ｂ）、および、歪曲収差図（ｃ）である。ここで、球面収差図において、実線はｄ線、点線はｇ線に対する球面収差量をそれぞれ表し、非点収差図において、実線はサジタル面、点線はメリディオナル面を表す（以下、同じ）。図４中、Sは開口絞り、Fは平行平板素子、Lは単レンズ、Iは撮像面を示す。また、Ｆは光学的ローパスフィルタやＩＲカットフィルタ、固体撮像素子のシールガラス等の平行平板素子である。本実施例における固体撮像素子は、１／１２インチ、６４０×４８０画素、画素ピッチ１．７５μｍのCMOS型イメージセンサを想定している。また、単レンズはエネルギー硬化性樹脂で形成されている。
【００５３】
(表 1)
NUM.       R           D          Nd     vd       有効半径
OBJ        ∞       400.0000                       
1        ∞         0.0500                       0.2102
STO*     -5.8747      0.5685   1.50000  56.99      0.2102
3*     -0.5672      0.0514                       0.3944
4        ∞         0.3500   1.47140  65.19      0.4480
5        ∞         0.9409                       0.5099
IMG        ∞                              
ASPHERICAL SURFACE
2*  K=5.00000e+001,A3=-5.59418e-001,A4=4.48147e+000,A5=0.00000e+000,A6=-8.24604e+001,A7=0.00000e+000,A8=2.36906e+002,A9=0.00000e+000,A10=4.90089e+003,A11=0.00000e+000,A12=1.29754e+005,A13=0.00000e+000,A14=7.14869e+005,A15=0.00000e+000,A16=-7.64479e+007,A17=0.00000e+000,A18=0.00000e+000,A19=0.00000e+000,A20=0.00000e+000
3*  K=-1.98592e+000,A3=7.75007e-002,A4=-1.24992e+000,A5=0.00000e+000,A6=-3.23414e+000,A7=0.00000e+000,A8=2.92964e+001,A9=0.00000e+000,A10=-5.06673e+001,A11=0.00000e+000,A12=-8.61115e+001,A13=0.00000e+000,A14=-2.65458e+002,A15=0.00000e+000,A16=-9.46230e+002,A17=0.00000e+000,A18=1.34908e+004,A19=0.00000e+000,A20=0.00000e+000
f         1.2124
F         2.8900
w         33.39
Y         0.7115
TL        1.9608
fB        0.9409
【００５４】
（実施例２）
実施例２のレンズデータを表２に示す。図６は実施例２の撮像レンズの断面図である。図７は実施例２の球面収差図（ａ）、非点収差図（ｂ）、および、歪曲収差図（ｃ）である。図６中、Sは開口絞り、Fは平行平板素子、Lは単レンズ、Iは撮像面を示す。また、Ｆは光学的ローパスフィルタやＩＲカットフィルタ、固体撮像素子のシールガラス等の平行平板素子である。本実施例における固体撮像素子は、１／１２インチ、６４０×４８０画素、画素ピッチ１．７５μｍのCMOS型イメージセンサを想定している。また、単レンズはエネルギー硬化性樹脂で形成されている。
【００５５】
(表 2)
NUM.       R           D          Nd     vd        有効半径
OBJ        ∞       400.0000
1        ∞         0.0500                        0.1636
STO*     -4.5712      0.4120   1.50000  56.99       0.1636
3*     -0.4394      0.0401                        0.3227
4        ∞         0.3800   1.47140  65.19       0.3933
5        ∞         0.6537                        0.4949
IMG        ∞        
ASPHERICAL SURFACE
2*  K=5.00000e+001,A3=-9.19290e-001,A4=9.44049e+000,A5=0.00000e+000,A6=-2.85454e+002,A7=0.00000e+000,A8=1.34767e+003,A9=0.00000e+000,A10=4.58140e+004,A11=0.00000e+000,A12=1.99324e+006,A13=0.00000e+000,A14=1.80461e+007,A15=0.00000e+000,A16=-3.17130e+009,A17=0.00000e+000,A18=0.00000e+000,A19=0.00000e+000,A20=0.00000e+000
3*  K=-1.98592e+000,A3=1.15820e-001,A4=-2.63303e+000,A5=0.00000e+000,A6=-1.11956e+001,A7=0.00000e+000,A8=1.66656e+002,A9=0.00000e+000,A10=-4.73643e+002,A11=0.00000e+000,A12=-1.32282e+003,A13=0.00000e+000,A14=-6.70119e+003,A15=0.00000e+000,A16=-3.92526e+004,A17=0.00000e+000,A18=6.75457e+005,A19=0.00000e+000,A20=0.00000e+000
f        0.9411
F        2.8800
w        42.95 
Y        0.7115
TL       1.5358 
fB       0.6537
【００５６】
（実施例３）
実施例３のレンズデータを表３に示す。図８は実施例３の撮像レンズの断面図である。図９は実施例３の球面収差図（ａ）、非点収差図（ｂ）、および、歪曲収差図（ｃ）である。図８中、Sは開口絞り、Fは平行平板素子、Lは単レンズ、Iは撮像面を示す。また、Ｆは光学的ローパスフィルタやＩＲカットフィルタ、固体撮像素子のシールガラス等の平行平板素子である。本実施例における固体撮像素子は、１／１２インチ、６４０×４８０画素、画素ピッチ１．７５μｍのCMOS型イメージセンサを想定している。また、単レンズはエネルギー硬化性樹脂で形成されている。
【００５７】
(表 3)
NUM.       R           D          Nd     vd        有効半径
OBJ        ∞       400.0000
1        ∞         0.0500                        0.2078
STO*     -2.7936      0.3862   1.50000  56.99       0.2078
3*     -0.5147      0.0878                        0.3383
4        ∞         0.3500   1.47140  65.19       0.4031
5        ∞         0.8973                        0.4724
IMG        ∞        
ASPHERICAL SURFACE
2*  K=1.79566e+001,A3=-6.60944e-001,A4=4.34047e+000,A5=0.00000e+000,A6=-8.19399e+001,A7=0.00000e+000,A8=2.31149e+002,A9=0.00000e+000,A10=4.18135e+003,A11=0.00000e+000,A12=1.03633e+005,A13=0.00000e+000,A14=1.47648e+004,A15=0.00000e+000,A16=-9.18474e+007,A17=0.00000e+000,A18=0.00000e+000,A19=0.00000e+000,A20=0.00000e+000
3*  K=-1.53017e+000,A3=6.69766e-002,A4=-1.50697e+000,A5=0.00000e+000,A6=-5.05590e+000,A7=0.00000e+000,A8=2.07102e+001,A9=0.00000e+000,A10=-8.41561e+001,A11=0.00000e+000,A12=-1.46669e+002,A13=0.00000e+000,A14=1.00894e+002,A15=0.00000e+000,A16=-1.79300e+003,A17=0.00000e+000,A18=-1.73114e+005,A19=0.00000e+000,A20=0.00000e+000
f        1.1945
F        2.8800
w        34.02 
Y        0.7115
TL       1.7713 
fB       0.8973
【００５８】
（実施例４）
実施例４のレンズデータを表４に示す。図１０は実施例４の撮像レンズの断面図である。図１１は実施例４の球面収差図（ａ）、非点収差（ｂ）および、歪曲収差（ｃ）である。図１０中、Sは開口絞り、Fは平行平板素子、Lは単レンズ、Iは撮像面を示す。また、Ｆは光学的ローパスフィルタやＩＲカットフィルタ、固体撮像素子のシールガラス等の平行平板素子である。本実施例における固体撮像素子は、１／１０インチ、６４０×４８０画素、画素ピッチ２．２μｍのCMOS型イメージセンサを想定している。また、単レンズはエネルギー硬化性樹脂で形成されている。
【００５９】
(表 4)
SURF DATA
NUM.       R           D          Nd     vd        有効半径
OBJ        ∞       400.0000                       
1        ∞         0.0600                        0.2576
STO*     -5.5922      0.5985   1.51000  56.99       0.2576
3*     -0.6891      0.0726                        0.4558
4        ∞         0.5000   1.47140  65.19       0.5256
5        ∞         1.0809                        0.6212
IMG        ∞        
ASPHERICAL SURFACE
2*  
K=5.00000e+001,A3=-3.85949e-001,A4=2.28034e+000,A5=0.00000e+000,A6=-2.84980e+001,A7=0.00000e+000,A8=5.45827e+001,A9=0.00000e+000,A10=7.49633e+002,A11=0.00000e+000,A12=1.25290e+004,A13=0.00000e+000,A14=3.88489e+004,A15=0.00000e+000,A16=-3.33103e+006,A17=0.00000e+000,A18=0.00000e+000,A19=0.00000e+000,A20=0.00000e+000
3*  K=-1.81900e+000,A3=3.26561e-002,A4=-6.97978e-001,A5=0.00000e+000,A6=-1.23826e+000,A7=0.00000e+000,A8=6.12618e+000,A9=0.00000e+000,A10=-8.72536e+000,A11=0.00000e+000,A12=-1.21851e+001,A13=0.00000e+000,A14=-2.25655e+001,A15=0.00000e+000,A16=1.20759e+001,A17=0.00000e+000,A18=1.09088e+003,A19=0.00000e+000,A20=0.00000e+000
f        1.4800
F        2.8800
w        34.24 
Y        0.8800
TL       2.3120
fB       1.1260
【００６０】
（実施例５）
実施例５のレンズデータを表５に示す。図１２は実施例５の撮像レンズの断面図である。図１３は実施例５の球面収差図（ａ）、非点収差図（ｂ）および、歪曲収差図（ｃ）である。図１２中、Sは開口絞り、Fは平行平板素子、Lは単レンズ、Iは撮像面を示す。また、Ｆは光学的ローパスフィルタやＩＲカットフィルタ、固体撮像素子のシールガラス等の平行平板素子である。本実施例における固体撮像素子は、１／１２インチ、６４０×４８０画素、画素ピッチ１．７５μｍのCMOS型イメージセンサを想定している。また、単レンズはエネルギー硬化性樹脂で形成されている。
【００６１】
(表 5)
NUM.       R           D          Nd     vd        有効半径
OBJ        ∞       400.0000
1        ∞         0.0500                        0.2067
STO        ∞         0.0450                        0.2067
3*     10.2134      0.5019   1.50000  56.99       0.2380
4*     -0.6203      0.2000                        0.3861
5        ∞         0.3500   1.47140  65.19       0.4687 
6        ∞         0.7051                        0.5278
IMG        ∞        
ASPHERICAL SURFACE
3*  K=-5.00000e+001,A3=-6.24651e-001,A4=5.03557e+000,A5=0.00000e+000,A6=-8.51248e+001,A7=0.00000e+000,A8=1.28967e+003,A9=0.00000e+000,A10=-5.21140e+004,A11=0.00000e+000,A12=1.70373e+006,A13=0.00000e+000,A14=-2.65994e+007,A15=0.00000e+000,A16=1.59483e+008,A17=0.00000e+000,A18=0.00000e+000,A19=0.00000e+000,A20=0.00000e+000
4*  K=-2.93738e+000,A3=1.54932e-002,A4=-1.11835e+000,A5=0.00000e+000,A6=-3.31983e+000,A7=0.00000e+000,A8=2.98742e+001,A9=0.00000e+000,A10=-3.02068e+001,A11=0.00000e+000,A12=9.02498e+001,A13=0.00000e+000,A14=4.22744e+002,A15=0.00000e+000,A16=-2.25457e+003,A17=0.00000e+000,A18=-6.76164e+004,A19=0.00000e+000,A20=0.00000e+000
f        1.1879
F        2.8800
w        34.10 
Y        0.7115
TL       1.8520 
fB       0.7051
【００６２】
（実施例６）
実施例６のレンズデータを表６に示す。図１４は実施例６の撮像レンズの断面図である。図１５は実施例６の球面収差図（ａ）、非点収差図（ｂ）、および、歪曲収差図（ｃ）である。図１４中、Sは開口絞り、Fは平行平板素子、Lは単レンズ、Iは撮像面を示す。また、Ｆは光学的ローパスフィルタやＩＲカットフィルタ、固体撮像素子のシールガラス等の平行平板素子である。本実施例における固体撮像素子は、１／１２インチ、６４０×４８０画素、画素ピッチ１．７５μｍのCMOS型イメージセンサを想定している。また、単レンズはエネルギー硬化性樹脂で形成されている。
【００６３】
(表 6)
NUM.       R           D          Nd     vd       有効半径
OBJ        ∞       400.0000
1        ∞         0.0500                        0.1930
STO        ∞         0.0450                        0.1930
3*      4.7745      0.5043   1.50000  56.99       0.2296
4*     -0.6056      0.7744                        0.3623
5        ∞         0.3500   1.47140  65.19       0.6197
6        ∞         0.0613                        0.6951
IMG        ∞        -0.0020
ASPHERICAL SURFACE
3*  K=4.24845e+001,A3=-7.21598e-001,A4=5.17330e+000,A5=0.00000e+000,A6=-8.15763e+001,A7=0.00000e+000,A8=1.37735e+003,A9=0.00000e+000,A10=-5.37641e+004,A11=0.00000e+000,A12=1.67630e+006,A13=0.00000e+000,A14=-2.62939e+007,A15=0.00000e+000,A16=1.94978e+008,A17=0.00000e+000,A18=0.00000e+000,A19=0.00000e+000,A20=0.00000e+000
4*  K=-2.24741e+000,A3=6.89964e-002,A4=-9.91713e-001,A5=0.00000e+000,A6=-1.58868e+000,A7=0.00000e+000,A8=3.08261e+001,A9=0.00000e+000,A10=-8.46343e+001,A11=0.00000e+000,A12=1.34137e+002,A13=0.00000e+000,A14=5.95209e+002,A15=0.00000e+000,A16=3.21676e+003,A17=0.00000e+000,A18=2.13353e+005,A19=0.00000e+000,A20=0.00000e+000
f        1.1095
F        2.8800
w        35.69 
Y        0.7115
TL       1.7830
fB       0.0593
【００６４】
各条件式に対応する各実施例の値を表７に示す。
【００６５】
【表７】
2011125999.tif 000005
【００６６】
また、本発明の実施例においては確保したバックフォーカスを、撮像レンズに付着したゴミの光学性能への影響の低減及び平行平板の厚さの確保に用いたが、オートフォーカスユニットや補正ユニットの挿入に用いても良い。
【００６７】
また、以上説明した実施例はいずれも単レンズと平行平板素子とからなるものであるが、実質的にパワー（焦点距離の逆数）を持たないダミーレンズをさらに付与した場合も本発明の範囲内である。
【産業上の利用可能性】
【００６８】
本発明によれば、大量生産性と小型化に最適な撮像レンズを提供できる。携帯端末とは携帯電話機に限られない。
【符号の説明】
【００６９】
１１ レンズ枠
１２ プリント配線板
７１ 上筐体
７２ 下筐体
７３ ヒンジ
Ｂ 操作ボタン
Ｃ 撮像素子
Ｄ１，Ｄ２ 表示画面
Ｆ 平行平板素子
Ｌ１ 単１レンズ
Ｓ 開口絞り
Ｔ 携帯電話機
【図１】
2011125999.tif 000006
【図２】
2011125999.tif 000007
【図３】
2011125999.tif 000008
【図４】
2011125999.tif 000009
【図５】
2011125999.tif 000010
【図６】
2011125999.tif 000011
【図７】
2011125999.tif 000012
【図８】
2011125999.tif 000013
【図９】
2011125999.tif 000014
【図１０】
2011125999.tif 000015
【図１１】
2011125999.tif 000016
【図１２】
2011125999.tif 000017
【図１３】
2011125999.tif 000018
【図１４】
2011125999.tif 000019
【図１５】
2011125999.tif 000020
【国際調査報告】
2011125999.tif 000021
2011125999.tif 000022
2011125999.tif 000023
2011125999.tif 000024